(57)【要約】【課題】端子台を容易に取り付けることができる空気調和機の室外機を提供する。【解決手段】室外機は、室外機ケーシングと、この室外機ケーシングに収容される機器と、電源配線及び信号配線の少なくとも一方が接続される端子台とを備える。端子台は、ねじが挿通する貫通孔と、下面に設けられた凸部とを有する。室外機ケーシングの側板３５は、内側への折り曲げにより構成された折曲部５を有する。折曲部５には、端子台の貫通孔に対応するねじ孔５３と、端子台の凸部が係合する係合部５４とが設けられている。端子台は、凸部が折曲部５の係合部５４に係合し、貫通孔とねじ孔５３との連通孔にねじがねじ入れられることにより、折曲部５に取り付けられている。【選択図】図４
2015117857.tif 000002
【特許請求の範囲】
【請求項１】
室外機ケーシング（３）と、この室外機ケーシング（３）に収容される機器（２）と、電源配線及び信号配線の少なくとも一方が接続される端子台（４）とを備え、
前記端子台（４）は、ねじが挿通する貫通孔（４６）と、下面（４３）に設けられた凸部（４５）とを有し、
前記室外機ケーシング（３）の側板（３５）は、内側への折り曲げにより構成された折曲部（５）を有し、前記折曲部（５）には、前記端子台（４）の前記貫通孔（４６）に対応するねじ孔（５３）と、前記端子台（４）の前記凸部（４５）が係合する係合部（５４）とが設けられ、
前記端子台（４）は、前記凸部（４５）が前記折曲部（５）の前記係合部（５４）に係合し、前記貫通孔（４６）と前記ねじ孔（５３）との連通孔にねじがねじ入れられることにより、前記折曲部（５）に取り付けられている
空気調和機の室外機。
【請求項２】
請求項１に記載の空気調和機の室外機（１）において、
前記折曲部（５）には、前記端子台（４）の側面下端部（４４Ｂ）に当接するガイド（５５）が少なくとも１つ設けられている
空気調和機の室外機。
【請求項３】
請求項１または２に記載の空気調和機の室外機（１）において、
前記折曲部（５）から前記室外機ケーシング（３）の側板（３５）にわたるように、かつ前記折曲部（５）と前記側板（３５）との間の折り目（５７）に対して交差するように溝（５６）が設けられている
空気調和機の室外機。
【請求項４】
請求項１〜３のいずれか一項に記載の空気調和機の室外機（１）において、
前記折曲部（５）は、前記側板（３５）に繋がる基部（５１）と、この基部（５１）から上方向に延びる延長部（５２）とを有し、前記基部（５１）の下辺（５１Ｂ）で折曲がり、かつ前記基部（５１）の両側端部（５１Ｅ）それぞれで前記側板（３５）に繋がる
空気調和機の室外機。
【発明の詳細な説明】
【技術分野】
【０００１】
本発明は、空気調和機の室外機に関し、特に、外部装置の配線が接続される端子台の取り付け構造に関する。
【背景技術】
【０００２】
空気調和機の室外機は、室内機との間で通信するための信号配線や電源配線を接続するための端子台を有する。この端子台は、例えば、室外機の側板に設けられる（特許文献１参照）。この構成の場合、側板の一部を折り曲げて構成された折曲部に端子台が取り付けられる。
【先行技術文献】
【特許文献】
【０００３】
【特許文献１】特開平７−１９８１７１号公報
【発明の概要】
【発明が解決しようとする課題】
【０００４】
ところで、端子台は、折曲部にねじ止めで取り付けられるが、このねじ止めの際、端子台が回転することがある。このため、端子台の取付け作業に手間を要していた。
本発明はこのような事情に鑑みてなされたものであり、その目的は、端子台を容易に取り付けることができる空気調和機の室外機を提供することにある。
【課題を解決するための手段】
【０００５】
課題を解決する空気調和機の室外機は、室外機ケーシングと、この室外機ケーシングに収容される機器と、電源配線及び信号配線の少なくとも一方が接続される端子台とを備え、前記端子台は、ねじが挿通する貫通孔と、下面に設けられた凸部とを有し、前記室外機ケーシングの側板は、内側への折り曲げにより構成された折曲部を有し、前記折曲部には、前記端子台の前記貫通孔に対応するねじ孔と、前記端子台の前記凸部が係合する係合部とが設けられ、前記端子台は、前記凸部が前記折曲部の前記係合部に係合し、前記貫通孔と前記ねじ孔との連通孔にねじがねじ入れられることにより、前記折曲部に取り付けられている。
【０００６】
この構成では、端子台を折曲部に取り付けるとき、折曲部のねじ孔と端子台の貫通孔との連通孔にねじがねじ入れられることにより、端子台が折曲部に取り付けられる。そして、この取付けの際、端子台の凸部を係合部に係合させることができるため、端子台の回転が抑制される。これにより、端子台を容易に取り付けることができる。
【０００７】
上記構成の空気調和機の室外機において、前記折曲部には、前記端子台の側面下端部に当接するガイドが少なくとも１つ設けられていることが好ましい。
端子台の取付け作業を容易とするために、端子台に凸部を設けている。この凸部は端子台の下面にあるため、端子台を折曲部に取り付けるときは、この凸部を直接視認することができない。このため、この凸部を係合部に係合しにくい場合がある。そうすると、端子台をねじ止めする前段階の作業、すなわち端子台を所定の位置に配置することに時間を要するといった事態が生じる。
【０００８】
そこで、上記構成では、端子台の側面下端部に当接するガイドを折曲部に設けている。これによって、端子台の位置がある程度定まるため、端子台を所定の位置に短時間で配置することができるようになり、端子台の取付作業の効率が上がる。
【０００９】
上記空気調和機の室外機において、前記折曲部から前記室外機ケーシングの側板にわたるように、かつ前記折曲部と前記側板との間の折り目に対して交差するように溝が設けられていることが好ましい。
【００１０】
折曲部は、室外機ケーシング内への折り曲げにより構成されている。
端子台のねじ止めの際、端子台が折曲部に押し付けられる。このとき、折曲部には、この折曲部がさらに室外機ケーシング内へと傾くように力が加わる。このため、この押し付けの力が大きすぎると、折曲部が折曲がってしまうおそれがある。折曲部が所定の角度から更に折曲がると、端子台が室外機ケーシング内に配置された電装品と接触してショート等が生じるおそれがある。
【００１１】
そこで、折曲部から側板にわたるように、かつその折り目に交差するように溝を設ける。この溝により、折り目の部分が補強され、折曲部が折れ曲がりにくくなる。このため、折曲部に力が加わっても、折曲部が折れ曲がることが抑制される。
【００１２】
上記空気調和機の室外機において、前記折曲部は、前記側板に繋がる基部と、この基部から上方向に延びる延長部とを有し、前記基部の下辺で折曲がり、かつ前記基部の両側端部それぞれで前記側板に繋がることが好ましい。
【００１３】
この構成は、折曲部が所定の角度から更に折れ曲がることを抑制するための他の手段である。
折曲部が室外機ケーシング内へと傾くようにこの折曲部に力が加わるとき、折曲部と側板との間の折り目を起点として折れ曲がる可能性が高い。これは、この部分に力が集中するためである。そこで、折曲部を、延長部と基部とを有するものとして、基部の下辺で折曲がるようにし、かつ基部の両端部それぞれで側板に繋がるようにしている。これにより、折曲部に加えられる力が折り目だけに集中するのではなく、その力が折り目を含めてその周辺に力が分散するようにしている。これにより、折曲部が折れ曲がることが抑制される。
【発明の効果】
【００１４】
上記空気調和機の室外機によれば、端子台を容易に取り付けることができる。
【図面の簡単な説明】
【００１５】
【図１】室外機の斜視図。
【図２】前板を外した室外機の正面図。
【図３】側板の一部拡大正面図。
【図４】側板の一部拡大斜視図。
【図５】端子台の斜視図。
【図６】端子台が取り付けられた側板の拡大図。
【発明を実施するための形態】
【００１６】
図１及び図２を参照して、空気調和機の室外機１の一例を説明する。
図１は、室外機１の斜視図である。図２は、図１の矢印Ａ方向からみた、前板３３を外した状態の室外機１の正面図である。なお、室外機１の前板３３側を正面として室外機１を見たときに、左手側を室外機１の「左側」とし、右手側を室外機１の「右側」とする。
【００１７】
室外機１は、室外機ケーシング３と、この室外機ケーシング３に収容される各種機器２と、信号配線及び電源配線の少なくとも一方が接続される端子台４とを備えている。信号配線は、室内機と情報通信するための配線であり、電源配線は電力供給用の配線である。
【００１８】
室外機１は、室外機ケーシング３に収容される各種機器２として、少なくとも、熱交換器２１、この熱交換器２１の前に配置されるファン２２と、圧縮機２３と、これら装置を制御する制御装置２４とを備える。
【００１９】
制御装置２４には端子台４が接続されている。端子台４は、制御装置２４と外部装置との接続を中継する装置である。すなわち、端子台４は、制御装置２４から引き出される配線と、外部装置から引き出される配線とを互いに接続する。
【００２０】
制御装置２４は、圧縮機２３のモータを駆動するための駆動回路と、駆動回路を冷却するヒートシンク２６とを有する。この制御装置２４は、冷却のためファン２２の近くに配置される。制御装置２４は、このように室外機１の奥に配置されるため、端子台４のような中継器がなければ、制御装置２４と外部装置との接続が困難になる。このような理由から、中継器としての端子台４が室外機ケーシング３の近くに配置される。端子台４と制御装置２４とは接続配線２５で互いに接続されている。以下、室外機ケーシング３における端子台４の取付け構造について説明する。
【００２１】
室外機ケーシング３は次の構成を有する。
室外機ケーシング３は、底板３１と、天板３２と、前板３３と、側板３５と、カバー３６とを備える。室外機ケーシング３の内部空間は、仕切板３７によって、熱交換器２１及びファン２２が配置される熱交換室３Ａと、圧縮機２３及び制御装置２４が配置される機械室３Ｂとに仕切られている。
【００２２】
前板３３は、室外機ケーシング３の内部空間の前側及び左側を覆う。側板３５は、機械室３Ｂの右側（機械室３Ｂにおいて仕切板３７が配置される面とは反対側の面）を覆う。カバー３６は、側板３５に取り付けられるものであり、第１及び第２開口部３８，３９（後述）を覆う。
【００２３】
側板３５には、第１及び第２開口部３８，３９が設けられている。
第１開口部３８は、側板３５の下部の一部切欠きにより構成されている。第１開口部３８は、連絡冷媒配管を接続する冷媒配管を露出させる開口部であり、この第１開口部３８を通じて、室外機１の冷媒配管と連絡配管とが接続される。
【００２４】
第２開口部３９は、側板３５の上端から少し下がったところに設けられている。第２開口部３９には、端子台４が取り付けられる折曲部５が設けられている。信号配線及び電源配線は、この第２開口部３９を通じて端子台４に接続される。
【００２５】
図３及び図４を参照して、折曲部５の構造について説明する。
図３は、側板３５を図１の矢印Ｂ方向から見た第２開口部３９の正面図であり、図４は、側板３５の第２開口部３９の斜視図である。
【００２６】
第２開口部３９は、突出部（折曲部５の延長部５２に対応する部分）が残るように側板３５から所定形状の切除片６１を切り取り、残った突出部を折り曲げることにより、形成される。
【００２７】
切除片６１は、側板３５の幅方向に延びる胴部６２と、この胴部６２の両側から下方向に延びる垂下部６３とを有する。つまり、切除片６１の形状は、馬蹄形または逆Ｕ字形に類似する。
【００２８】
折曲部５は、側板３５から切除片６１を除去したことにより構成される突出部（延長部５２に対応する部分）とこの突出部の根本部分（基部５１）とを含む部分を室外機ケーシング３内に向けて折り曲げることにより構成される。すなわち、折曲部５は、側板３５に繋がる基部５１と、基部５１から延長する延長部５２とを有する。
【００２９】
基部５１は、下辺５１Ｂ及び両側端部５１Ｅそれぞれで側板３５に繋がっている。下辺５１Ｂが折曲部５の折り目５７に対応する。両側端部５１Ｅは、側板３５における対応箇所をプレス変形させることにより構成されるものであり、曲面を呈する。
【００３０】
延長部５２は、側板３５から切除片６１を切り取ることにより第２開口部３９に形成された突出部に対応する部分であり、基部５１から上方向（設置された室外機１における上方向）にかつ室外機ケーシング３内に向かって延びる。延長部５２の縦方向（室外機１の上下方向に対応する方向）の長さは、第２開口部３９の縦方向の長さよりも短く、かつ延長部５２の横幅は、第２開口部３９の横幅よりも短い。
【００３１】
折曲部５には、この部分を補強する溝５６が設けられている。
具体的には、折曲部５から側板３５にわたるように、かつ折曲部５と側板３５との間の折り目５７に対して交差するように溝５６が設けられている。この溝５６は、折曲部５及び側板３５の外面が凹みかつ内面が突出するように、構成されている。
【００３２】
溝５６の断面は、図３では、略Ｕ字であるが、この溝５６は、バスタブ形状やＶ字形であってもよい。また、この溝５６は、図３に示すように、折り目５７に対して直交することが好ましい。
【００３３】
溝５６は、折曲部５から側板３５にわたるように、１本、好ましくは複数本設けられる。溝５６の本数は、延長部５２の幅によって適宜設定される。図３に示す例では、溝５６を２本設けている。溝５６の長さは、特に制限されないが、折曲部５に設けられるねじ孔５３や係合部５４（後述）の形成において互いに干渉し合わないように設定される。このような溝５６は、所謂ビード加工により形成される。
【００３４】
また、折曲部５には、端子台４を固定するためのねじ孔５３と、端子台４の凸部４５（図５参照）と係合する係合部５４とが設けられている。
折曲部５において、ねじ孔５３は、端子台４の貫通孔４６（図５参照）に対応する位置に形成されている。係合部５４は端子台４の凸部４５に対応する位置に設けられている。
【００３５】
係合部５４は、端子台４の凸部４５が入る形状に構成される。例えば、凸部４５が円形である場合は、係合部５４は、円形または楕円形の貫通孔または凹部として構成される。なお、係合部５４の大きさは、凸部４５が入り込む寸法であればよい。すなわち、係合部５４の大きさは、凸部４５が嵌り込む大きさに設定してもよいし、また、凸部４５が入り込み易いように凸部４５の寸法よりも大きくしてもよい。
【００３６】
また、折曲部５には、端子台４の側面下端部４４Ｂ（図５参照）に当接するガイド５５が少なくとも１つ設けられていることが好ましい。
ガイド５５は、端子台４を折曲部５に取り付けるときに、この端子台４を折曲部５に対して所定の位置に案内するものである。また、ガイド５５は、端子台４をねじ止めする際の端子台４の回転を抑制するものでもある。
【００３７】
図４に示すように、このガイド５５は、折曲部５に端子台４が取り付けられたときに、端子台４の側面下端部４４Ｂが位置する部分に沿うように、かつ折曲部５の外面から突出するように設けられる。ガイド５５の本数は１本でもよいが、図４に示すように端子台４の両側面４４それぞれに対してガイド５５が設けられることがより好ましい。
【００３８】
図５を参照して、端子台４の構造を説明する。
端子台４は、基台４０と、信号配線、電源配線等の外部装置との接続に用いられる配線が接続される接続部４１とを有する。各接続部４１は隔壁４２により仕切られている。基台４０の中央部には、ねじが挿通する貫通孔４６が設けられている。
【００３９】
端子台４の下面４３（基台４０の下面に対応する。）には、この面から突出する凸部４５が設けられている。凸部４５は、端子台４を位置決めするものである。例えば、凸部４５と基台４０とは、成形上において一体のものとして構成される。端子台４の側面４４（基台４０の側面に対応する。）は平坦に構成されている。
【００４０】
図６に、端子台４が取り付けられた側板３５を示す。
端子台４は、凸部４５が折曲部５の係合部５４に係合した状態で、基台４０の貫通孔４６と折曲部５のねじ孔５３との連通孔にねじをねじ込むことにより、取り付けられている。また、端子台４の側面下端部４４Ｂはガイド５５に当接している。
【００４１】
このような端子台４の取付け構造について、その作用を説明する。
端子台４の取付けの際、端子台４の側面下端部４４Ｂをガイド５５に当接し、端子台４を２本のガイド５５の間に配置する。そして、ガイド５５の延長方向に沿って端子台４を移動して、下面４３の凸部４５が折曲部５の係合部５４に係合する位置に端子台４を配置する。そして、この状態で、すなわち下面４３の凸部４５が折曲部５の係合部５４に係合した状態で、端子台４をねじ止めする。ねじ止めの際、トルクで端子台４が回転するが、凸部４５と係合部５４との係合によりその回転が抑制されるため、不要な手間をかけずに短時間でねじ止めが完了する。
【００４２】
以下、本実施形態の効果を説明する。
（１）室外機ケーシング３の側板３５は、内側への折り曲げにより構成された折曲部５を有する。折曲部５には、端子台４の貫通孔４６に対応するねじ孔５３と、端子台４の下面４３に設けられた凸部４５が係合する係合部５４とが設けられている。そして、端子台４は、凸部４５が折曲部５の係合部５４に係合し、かつ貫通孔４６とねじ孔５３との連通孔にねじがねじ入れられることにより、折曲部５に取り付けられている。
【００４３】
端子台４を折曲部５に取り付けるとき、折曲部５のねじ孔５３と端子台４の貫通孔４６との連通孔にねじがねじ入れられることにより、端子台４が折曲部５に取り付けられる。この取付けの際、端子台４の凸部４５を係合部５４に係合させることができるため、端子台４の回転が抑制される。これにより、端子台４を容易に取り付けることができる。
【００４４】
（２）上記構成の空気調和機の室外機１において、折曲部５には、端子台４の側面下端部４４Ｂに当接するガイド５５が少なくとも１つ設けられていることが好ましい。
端子台４の取付け作業を容易とするために端子台４に凸部４５を設けている。凸部４５は端子台４の下面４３にあるため端子台４を折曲部５に取り付けるときは、この凸部４５を直接視認することができない。このため、この凸部４５を係合部５４に係合しにくい場合がある。そうすると、端子台４をねじ止めする前段階の作業、すなわち端子台４を所定の位置に配置することに時間を要するといった事態が生じる。
【００４５】
そこで、上記構成では、端子台４の側面下端部４４Ｂに当接するガイド５５を折曲部５に設けている。これによって、端子台４の位置がある程度定まるため、端子台４を所定の位置に短時間で配置することができるようになり、端子台４の取付作業の効率が上がる。
【００４６】
（３）上記空気調和機の室外機１において、折曲部５から室外機ケーシング３の側板３５にわたるように、かつ折曲部５と側板３５との間の折り目５７に対して交差するように溝５６が設けられていることが好ましい。
【００４７】
折曲部５は、室外機ケーシング３内への折り曲げにより構成されている。
端子台４のねじ止めの際、端子台４が折曲部５に押し付けられる。このとき、折曲部５には、この折曲部５がさらに室外機ケーシング３内へと傾くように力が加わる。このため、この押し付けの力が大きすぎると、折曲部５が折曲がってしまうおそれがある。折曲部５が所定の角度から更に折曲がると、端子台４が室外機ケーシング３内に配置された電装品（例えば、制御装置２４）と接触してショート等が生じるおそれがある。
【００４８】
そこで、折曲部５から側板３５にわたるように、かつその折り目５７に交差するように溝５６を設ける。この溝５６により、折り目５７の部分が補強され、折曲部５が折れ曲がりにくくなる。このため、折曲部５に力が加わっても、折曲部５が折れ曲がることが抑制される。
【００４９】
（４）上記空気調和機の室外機１において、折曲部５は、側板３５に繋がる基部５１と、この基部５１から上方向に延びる延長部５２とを有し、基部５１の下辺５１Ｂで折曲がり、かつ基部５１の両側端部５１Ｅそれぞれで側板３５に繋がることが好ましい。
【００５０】
この構成は、折曲部５が所定の角度から更に折れ曲がることを抑制するための他の手段である。
折曲部５が室外機ケーシング３内へと傾くようにこの折曲部５に力が加わるとき、折曲部５と側板３５との間の折り目５７を起点として折れ曲がる可能性が高い。これは、この部分に力が集中するためである。そこで、折曲部５を、延長部５２と基部５１とを有するものとして、基部５１の下辺５１Ｂで折曲がるようにし、かつ基部５１の両側端部５１Ｅそれぞれで側板３５に繋がるようにしている。これにより、折曲部５に加えられる力が折り目５７だけに集中するのではなく、その力が折り目５７を含めてその周辺に力が分散するようにしている。これにより、折曲部５が折れ曲がることが抑制される。
【００５１】
（他の実施形態）
なお、実施態様は上記に示した態様に限られるものではなく、これを例えば以下に示すように変更して実施することもできる。
【００５２】
・上記実施形態では、折曲部５に端子台４を案内するガイド５５を設けている。このガイド５５は、折曲部５の表面から突出するように設けられているが、ガイド５５を次のように構成してもよい。例えば、折曲部５の側端を折り曲げて屈曲部を構成し、この屈曲部を端子台４の側面下端部４４Ｂに当接させるものとして、ガイド５５を構成する。このようにして構成されたガイド５５は、端子台４を所定位置に案内する機能と、端子台４の回転を抑制する機能とを有する。
【００５３】
［付記］
実施形態及び他の実施形態には、上記に示した技術思想のほか、以下に示す技術思想が含まれる。
【００５４】
［付記１］
室外機ケーシング３と、この室外機ケーシング３に収容される機器２と、電源配線及び信号配線の少なくとも一方が接続される端子台４とを備え、前記端子台４は、ねじが挿通する貫通孔４６を有し、前記室外機ケーシング３の側板３５は、内側への折り曲げにより構成された折曲部５を有し、前記折曲部５には、前記端子台４の前記貫通孔４６に対応するねじ孔５３と、前記端子台４の側面４４に当接する屈曲部とが設けられ、前記端子台４は、前記側面４４が前記折曲部５の前記屈曲部に当接した状態で、前記貫通孔４６と前記ねじ孔５３との連通孔にねじがねじ入れられることにより、前記折曲部５に取り付けられている空気調和機の室外機１。
【００５５】
この構成によれば、端子台４を折曲部５に取り付けるとき、折曲部５のねじ孔５３と端子台４の貫通孔４６との連通孔にねじがねじ入れられることにより、端子台４が折曲部５に取り付けられる。この取付けの際、端子台４の側面４４を屈曲部に当接させることができるため、端子台４の回転が抑制される。これにより、端子台４を容易に取り付けることができる。この屈曲部は、例えば、折曲部５の側端の折り曲げにより構成される。屈曲部は、端子台４の両側面４４それぞれに対応して設けることが好ましい。
【符号の説明】
【００５６】
１…室外機、２…機器、３…室外機ケーシング、３Ａ…熱交換室、３Ｂ…機械室、４…端子台、５…折曲部、２１…熱交換器、２２…ファン、２３…圧縮機、２４…制御装置、２５…接続配線、２６…ヒートシンク、３１…底板、３２…天板、３３…前板、３５…側板、３６…カバー、３７…仕切板、３８…第１開口部、３９…第２開口部、４０…基台、４１…接続部、４２…隔壁、４３…下面、４４…側面、４４Ｂ…側面下端部、４５…凸部、４６…貫通孔、５１…基部、５１Ｅ…側端部、５１Ｂ…下辺、５２…延長部、５３…ねじ孔、５４…係合部、５５…ガイド、５６…溝、５７…折り目、６１…切除片、６２…胴部、６３…垂下部。
【図１】
2015117857.tif 000003
【図２】
2015117857.tif 000004
【図３】
2015117857.tif 000005
【図４】
2015117857.tif 000006
【図５】
2015117857.tif 000007
【図６】
2015117857.tif 000008